(57)【要約】【課題】パチンコ機の受容皿、該受容皿の下方に置かれた貯留箱の両方が遊技球で満杯となる場合であっても、遊技を続行できるようにする。【解決手段】飾り板３０に回動自在に補助皿３１を組み付ける。この補助皿３１は貯留不可位置に固定され、例えば「大当たり」状態となる場合に、該固定が解除される。遊技者は、受容皿２０、或いは遊技場に設置された貯留皿が満杯となる場合には、貯留不可位置にある補助皿３１を貯留可能位置へと移動させ、受容皿に払い出された遊技球を補助皿３１へと移し替える。そして、「大当たり」状態が終了し、補助皿３１が貯留可能位置にある場合には、その旨を示す報知が行われるので、遊技者は補助皿３１に受容された遊技球を移し替えて、補助皿３１を貯留不可位置へと回動させると、補助皿３１が再び貯留不可位置で固定される。【選択図】図４
2007202973.tif 000002
【特許請求の範囲】
【請求項１】
払い出される遊技球を受容する受容皿が設けられた弾球遊技機において、
前記受容皿に受容された遊技球が満杯となる場合に、前記受容皿に受容された遊技球を一時的に貯留することが可能な貯留可能位置と、遊技球の一時的な貯留を不可とする貯留不可位置との間で移動可能とする補助貯留皿と、
通常遊技よりも遊技者に対する利益付与確率が高くなる特別遊技状態であるか否かを検知する状態検知手段と、
前記補助貯留皿が前記貯留不可位置にあるか否かを検知する位置検知手段と、
前記位置検知手段によって、前記補助貯留皿が貯留不可位置にあることが検知された場合に前記補助貯留皿を該貯留不可位置に固定し、前記状態検知手段によって特別遊技状態であることが検知された場合に、前記補助貯留皿の該貯留不可位置への固定を解除する固定装置と、
前記状態検知手段によって特別遊技状態でないことが検知され、且つ前記位置検知手段によって補助貯留皿が検知されない場合に、前記補助貯留皿が貯留可能位置にあることを報知する報知手段とを備えたことを特徴とする弾球遊技機。
【請求項２】
前記弾球遊技機は、最下端部に装飾パネルを備えた保持部材に回動自在に組み付けることで遊技場の島設備に配設されるとともに、前記補助貯留皿を前記装飾パネルに対して回動自在に組み付け、
前記補助貯留皿が前記貯留可能位置にある場合に、前記補助貯留皿を支持する支持部材を備えていることを特徴とする請求項１記載の弾球遊技機。
【発明の詳細な説明】
【技術分野】
【０００１】
本発明は、パチンコ店等の遊技場に設置して使用されるパチンコ機等の弾球遊技機に関するものである。
【背景技術】
【０００２】
遊技場に設置される遊技機の一つとしてパチンコ機が挙げられる。このパチンコ機には、パチンコ球（遊技球）を受容する受容皿が設けられている。この受容皿には、パチンコ機内部に組み込まれた発射装置へと遊技球を導く通路が設けられており、受容皿に受容されたパチンコ球は、この通路を介して自動的に発射装置へと案内される。なお、発射装置へと案内されたパチンコ球は、遊技者による操作ハンドルの操作により作動する発射装置によって遊技領域の上方へと打ち出された後に、遊技領域に設けられた障害釘によって弾かれながら遊技領域内を流下していく。そして、遊技領域に設けられた入賞チャッカーや、始動チャッカー等に入賞した場合に、遊技者に対する賞球としてのパチンコ球の払い出しが受容皿に行われる。
【０００３】
例えば始動チャッカーに入賞すると、「大当たり」状態へ移行するか否かの抽選が行われ、この抽選に当選すると「大当たり」状態へと移行するようになっている。この「大当たり」状態では、通常では閉じているアタッカが開き、所定個数のパチンコ球が入賞するか所定時間経過するかのいずれかの条件が満たされた場合に一旦閉じる動作を行うようになっている。このアタッカの１回の開閉動作を１ラウンドとした場合、この１ラウンド中に所定個数のパチンコ球が入賞すると継続条件を満たしたことになり、次のラウンドが開始されることになる。そして、この「大当たり」状態では、例えば１５ラウンドなど、予め設定されたラウンドを上限としてアタッカが開閉動作される。これにより、遊技領域を流下するパチンコ球がアタッカに入賞しやすくなるので、「大当たり」状態に移行すると、より多くの賞球としてのパチンコ球が受容皿に払い出される。このパチンコ球の払い出しによって受容皿にはパチンコ球で満杯になり、さらに払い出されるパチンコ球を受容皿では受容できなくなる状態となる。
【０００４】
この状態を回避する方法として、パチンコ球の受容皿には、通常シャッタ等の遮蔽部材によって遮蔽された球抜き孔が設けられており、この受容皿にパチンコ球が満杯になると、パチンコ機に設けられた操作ボタンをスライド操作、或いは押圧操作して、遮蔽部材による球抜き孔の遮蔽を解除し、受容皿に受容されているパチンコ球を例えば、受容皿の下方に置かれた収納箱等に排出させる。なお、この受容皿から収納箱に排出させる方法として、例えば収納箱が受容皿の下方に置かれた場合に、受容皿に設けられた遮蔽部材による球抜き孔の開放動作が自動的に行われるパチンコ機が提案されている（特許文献１、２参照）。
【特許文献１】特開平０９−３０８７４６号公報
【特許文献２】特許２５８８８５５号公報
【発明の開示】
【発明が解決しようとする課題】
【０００５】
遊技者自身が操作ボタンを操作して球抜き孔を開放する、或いは収納箱を検知することによって球抜き孔を開放するようにした場合、収納箱がパチンコ球で満杯となることがあり、このような場合には遊技場の店員を呼んで新しい収納箱に交換してもらうか、遊技者自身で新しい収納箱を持ってきて新しい収納箱に交換する必要がある。しかしながら、例えば遊技場が混んでいたり、近場に店員がいないときに、「大当たり」状態となる場合、収納箱が満杯になったとしても新しい収納箱との交換を行うことができずに遊技を中断する必要がある。上述したように、「大当たり」状態における次のラウンドへの継続条件は、所定時間経過する間に、所定個数のパチンコ球をアタッカに入賞させることであるから、１ラウンド中に遊技を中断した場合には、次のラウンドを継続して行うことができなくなるので、せっかく「大当たり」状態に移行したのにも関わらず、より多くのパチンコ球を得ることができなくなるという問題がある。
【０００６】
本発明は、上記課題を解決するためになされたものであり、例えばパチンコ球の受容皿、該受容皿の下方に置かれた収納箱の両方がパチンコ球で満杯となる場合であっても、遊技を続行できるようにした弾球遊技機を提供することを目的とする。
【課題を解決するための手段】
【０００７】
上記目的を達成するために、本発明の弾球遊技機は、前記受容皿に受容された遊技球が満杯となる場合に、前記受容皿に受容された遊技球を一時的に貯留することが可能な貯留可能位置と、遊技球の一時的な貯留を不可とする貯留不可位置との間で移動可能とする補助貯留皿と、通常遊技よりも遊技者に対する利益付与確率が高くなる特別遊技状態であるか否かを検知する状態検知手段と、前記補助貯留皿が前記貯留不可位置にあるか否かを検知する位置検知手段と、前記位置検知手段によって、前記補助貯留皿が貯留不可位置にあることが検知された場合に前記補助貯留皿を該貯留不可位置に固定し、前記状態検知手段によって特別遊技状態であることが検知された場合に、前記補助貯留皿の該貯留不可位置への固定を解除する固定装置と、前記状態検知手段によって特別遊技状態でないことが検知され、且つ前記位置検知手段によって補助貯留皿が検知されない場合に、前記補助貯留皿が貯留可能位置にあることを報知する報知手段とを備えたことを特徴とする。なお、特別遊技状態とは、例えば「大当たり」状態、利益付与確率とは、入賞率、出球率等がそれぞれ挙げられる。
【０００８】
また、前記弾球遊技機は、最下端部に装飾パネルを備えた保持部材に回動自在に組み付けることで遊技場の島設備に配設されるとともに、前記補助貯留皿を前記装飾パネルに対して回動自在に組み付け、前記補助貯留皿が前記貯留可能位置にある場合に、前記補助貯留皿を支持する支持部材を備えていることを特徴とする。
【発明の効果】
【０００９】
本発明の弾球遊技機によれば、前記受容皿に受容された遊技球が満杯となる場合に、前記受容皿に受容された遊技球を一時的に貯留することが可能な貯留可能位置と、遊技球の一時的な貯留を不可とする貯留不可位置との間で移動可能とする補助貯留皿と、通常遊技よりも遊技者に対する利益付与確率が高くなる特別遊技状態であるか否かを検知する状態検知手段と、前記補助貯留皿が前記貯留不可位置にあるか否かを検知する位置検知手段と、前記位置検知手段によって、前記補助貯留皿が貯留不可位置にあることが検知された場合に前記補助貯留皿を該貯留不可位置に固定し、前記状態検知手段によって特別遊技状態であることが検知された場合に、前記補助貯留皿の該貯留不可位置への固定を解除する固定装置と、前記状態検知手段によって特別遊技状態でないことが検知され、且つ前記位置検知手段によって補助貯留皿が検知されない場合に、前記補助貯留皿が貯留可能位置にあることを報知する報知手段とを備えたから、例えば、補助貯留皿に払い出されたパチンコ球を貯留させることが可能となるので、該受容皿の下方に置かれた収納箱の両方がパチンコ球で満杯となる場合であっても遊技を中断せずに続行することができる。なお、新しい収納箱への交換は、例えば「大当たり」状態が終了した後に遊技者自身で行う、或いは、遊技を続行している間に例えば遊技場の店員にしてもらう等で対応することができるので、例えば特別遊技状態における遊技を中断させずに済むことになる。
【００１０】
また、前記弾球遊技機は、最下端部に装飾パネルを備えた保持部材に回動自在に組み付けることで遊技場の島設備に配設されるとともに、前記補助貯留皿を前記装飾パネルに対して回動自在に組み付け、前記補助貯留皿が前記貯留可能位置にある場合に、前記補助貯留皿を支持する支持部材を備えているから、弾球遊技機の構成を新たな構成としなくても、補助貯留皿を配置することが可能となる。
【発明を実施するための最良の形態】
【００１１】
本発明の第１実施形態を図１〜図５を用いて説明する。図１に示すように、パチンコ機２は固定枠３を備えており、この固定枠３を介して遊技場の島設備に組み付けられている。このパチンコ機２は、固定枠３に対して回動自在に組み付けられる本体部材４に、上部扉５及び下部扉６からなる２枚の前面扉７が本体部材４に対して回動自在となるように、図示しないヒンジ部を介して組み付けられた構成からなる。上部扉５の中央には開口５ａが設けられており、この開口５ａは上部扉５の裏側に組み付けられるガラス等の透光性を有する部材により遮蔽されている。上部扉５が閉じているときには、この開口５ａを介して遊技領域１０を視認することが可能となる。
【００１２】
遊技領域１０には、図示しない障害釘や風車の他に、センター役物１１が設けられている。このセンター役物１１の中央には、液晶表示装置等の表示装置１２が設けられている。また、遊技領域１０には、スタートチャッカー１５、入賞チャッカー１６等の入賞装置の他に、アタッカ１７と呼ばれる可動入賞装置が設けられている。なお、これら入賞装置は周知であるため、ここでは、その詳細を省略する。なお、上述した入賞装置に入賞しない遊技球は、アウト口１８によって回収される。
【００１３】
図２に示すように、下部扉５には、受容皿２０、操作ハンドル２１が設けられる。受容皿２０には、遊技を開始する際に遊技球が供給される他に、遊技領域１０を流下する遊技球が、遊技領域１０に設けられた入賞装置のいずれかに入賞したことを受けて払い出される賞球としての遊技球が受容される。操作ハンドル２１は、遊技を行う際に操作され、この操作ハンドル２１の操作を受けて、内部に設けられた打出し用ボリューム（図示せず）の出力値が変化することによって、発射装置２２による遊技球の打ち出し強さが変化する。なお、符号２３は払出し口であり、この払出し口２３を介して、賞球としての遊技球が払い出される。
【００１４】
上述した構成のパチンコ機２が組み付けられる固定枠３の下端部には、飾り板（装飾パネル）３０が設けられている。この飾り枠３０の略中央であって、その下端部には、補助皿（補助貯留皿）３１が設けられている。この補助皿３１は、図１に示す閉じ状態に保持されている場合には、受容皿２０に貯留された遊技球を補助皿３１に一時的に貯留することができないようになっており、通常状態よりも入賞装置に遊技球を入賞させやすくなる「大当たり」状態に移行したときに、補助皿３１を図１に示す位置（以下、貯留不可位置）から、図２に示す開き位置（以下、貯留可能位置）に回動させることができるようになる。この補助皿３１を貯留可能位置に回動させると、補助皿３１の受容部３１ａが露呈されるので、遊技者は操作ハンドル２１を操作しない手、つまり左手で受容皿２０に貯留された遊技球を掴んで補助皿３１の受容部３１ａに移し替えることが可能となる。なお、図１に示す符号３２は取っ手であり、遊技者は、この取っ手３２を掴んで、補助皿３１を貯留不可位置から貯留可能位置へと回動させる、或いはその逆に回動させる。
【００１５】
図３に示すように、補助皿３１は、上面が開口された略箱形状から構成されている。この上面が開口されていることで、その中空となる部分が受容部３１ａとして形成される。また、補助皿３１の前板３５は、補助皿３１が貯留不可位置にある場合に、飾り板３０の組付け空間４５を遮蔽する大きさから形成されている。この補助皿３１の側面３６、３７であって、その下端部には、それぞれ回動軸３８，３９が設けられている。この回動軸３８，３９を飾り板３０の軸受け部４８ｂ、４９ｂにそれぞれ軸支させることで、補助皿３１が飾り板３０に回動自在に組み付けられる。
【００１６】
この補助皿３０の側面３６，３７の後端縁には、それぞれ回動防止片（支持部材）４０，４１が設けられている。この回動防止片４０，４１は、補助皿３１を貯留不可位置から貯留可能位置へと移動させた際に、飾り板３０の側壁４６，４７に設けられた凹部５０，５１にそれぞれ入り込む。そして、補助皿３１が貯留可能位置まで回動したときに、凹部５０，５１に設けられた側壁面５０ａ，５１ａに回動防止片４０，４１がそれぞれ当接され、補助皿３１の回動が防止される。また、補助皿３１が貯留可能位置にあるときには、この補助皿３１の受容部３１ａには遊技球が一時的に貯留されることになるが、この遊技球を補助皿３１に貯留すると、補助皿３１に対して図４中Ｃ方向の力が加わることになる。このため、貯留可能位置で回動防止片４０，４１を凹部５０，５１の側壁面５０ａ，５１ａにそれぞれ当接させることで、補助皿３１を図４中Ｃ方向に回動させずに、貯留可能位置で支持することが可能となる。なお、支持部材の構成は本実施形態に限定されるものではなく、適宜の形状、或いは適宜の方法で、補助皿を貯留可能位置で支持することも可能である。
【００１７】
この補助皿３１の前板３５であって、その上部には係止片４２が設けられている。この係合片４２は断面が略Ｌ字状から構成されている。この係合片４２は、補助皿３１が貯留不可位置にある場合に、飾り板３０にスライド自在に組み付けられた係合突起６２（図４参照）と係合することで、補助皿３１を貯留不可位置に固定する。また、この前板３５の上端部は、補助皿３１が貯留不可位置に回動させた場合に飾り板３０の段差５３に当接し、その回動が停止される。
【００１８】
上述したように飾り板３０は、固定枠３の最下端部に組み付けられている。この飾り板３０は、幅方向の略中央であって、その下部が方形状に切り欠かれた略Ｃ字形状から形成されている。この切り欠かれた空間（以下組付け空間）４５に、上述した補助皿３１が配置される。飾り板３０の組付け空間４５に面した側壁４６，４７の下部には、その後面側から前面側に向けてＬ字状の溝４８，４９が設けられている。これら溝４８、４９は、それぞれ水平方向に伸びる溝部４８ａ，４９ａと、これら溝部４８ａ，４９ａの前面側の端部に連通し、かつ下方に延びる溝部４８ｂ，４９ｂとから構成される。この溝部４８ｂ，４９ｂの下端部が、後述する補助皿３１の側面３６，３７に設けられた回動軸３８，３９を受ける軸受け部となる。なお、上述した溝部４８ａ，４９ａは、補助皿３１を飾り板３０に組み付ける際に、回動軸３８，３９を軸受け部に案内するための溝部となる。
【００１９】
上述した側壁４６，４７であって溝４８，４９の上部となる部分で、かつ後面側の縁端部に連なって凹部５０，５１が設けられている。この凹部５０，５１は、補助皿３１を貯留不可位置から、貯留可能位置へと回動させたときに、補助皿３０の側面３６，３７に突設された回動防止片４０，４１を進入させるために設けられている。そして、この凹部５０，５１の壁面５０ａ，５１ａに回動防止片４０，４１が当接することで、補助皿３１の回動が停止される。
【００２０】
また、組付け空間４５に面する上壁５２には、段差５３が設けられており、この段差５３には、補助皿３１の前板３５の上端部が当接する。つまり、補助皿３１が貯留可能位置から貯留不可位置に向けて回動させたときに、前板３５の上端部がこの段差５３に当接することで、補助皿３１の回動が防止される。
【００２１】
図４に示すように、このような飾り板３０には、補助皿３１の他に、固定装置６０、位置検知センサ（位置検知手段）６１が組み付けられる。なお、固定装置６０や位置検知センサ６１は、飾り板３０に組み付けられる実施形態とするが、この他に、固定枠３に組み付けられる形態としても良い。固定装置６０は、図４中Ａ方向、又はＢ方向にスライドする係合突起６２と、この係合突起６２を上下動させるスライド機構６３と、スライド機構６３を作動させる駆動源６４とから構成されている。なお、スライド機構６３についてはその詳細を記載しないが、例えばギア機構やリンク機構、またはこれら機構を組み合わせた構成からなる。また、駆動源６４は駆動モータやソレノイド等から構成されている。
【００２２】
位置検知センサ６１は、例えばタッチセンサからなり、補助皿３１が貯留不可位置に回動した際に、補助皿３１の後板６５に設けられた押圧部６６によって被押圧面６１ａが押圧された場合にオン信号を制御装置６７に出力する。この位置検知センサ６１としては、タッチセンサの他に、例えばフォトインタラプタが挙げられる。この場合、補助皿３１にインデックスを設ける必要がある。
【００２３】
制御装置（状態検知手段）６７は、パチンコ機２の遊技制御を行うために設けられている。この制御装置６７には、上述した入賞装置には、それぞれ入賞した遊技球を検知する検知センサが設けられており、これら検知センサのいずれかからの検知信号が入力されると、払い出し装置６８に該検知信号に対する払い出し信号を出力する。例えば、遊技を行った際に、始動チャッカー１５に遊技球が入賞すると、制御装置６７は「大当たり」状態に移行するか否かの抽選を行い、この抽選結果に基づいて、センター役物１１に設けられた表示装置１２における演出表示（つまり、図柄の変動表示や、停止表示）や、パチンコ機２に設けられるスピーカ６９等を用いて実行させる。そして、「大当たり」状態に移行した場合に、表示装置１２に補助皿３１が移動可能である旨を示す表示する、或いはスピーカ６９を用いて、補助皿３１が移動可能である旨を示す演出音の再生を行わせる。これと同時に、制御装置６７は駆動源６４に給電を行う。これにより、固定装置６０の係合突起６２が図５中Ｂ方向にスライドし、補助皿３１の係止片４２の回動軌跡上から退避する。これにより、補助皿３１の回動が可能となる。なお、制御装置６７は、係合突起６２が係止片４２の回動軌跡上から退避すると、駆動源６４の給電を停止するので、係止突起６２は係止片４２の回動軌跡上から退避した位置（図４に示す実線に示す位置、或いは図５に示す二点鎖線に示す位置）に保持される。
【００２４】
また、この制御装置６７は、「大当たり」状態が終了した後に、上述したタッチセンサ６１からのオン信号が入力されると、駆動源６４への給電を行う。この給電を受けて、係合突起６２が図５中Ａ方向にスライドし、係止片４２の回動軌跡上に入り込ませる。これにより、係止片４２に係合突起６２が係合し、補助皿３１が貯留不可位置に固定される。一方、「大当たり」状態が終了しても、タッチセンサ６１からのオン信号が入力されない場合には、制御装置６７は、例えば上述した表示装置（報知手段）１２に補助皿３１が開放されている旨を示す警告表示、或いはスピーカ（報知手段）６９による警告ＯＮの再生を行う。なお、実施形態では警告表示を、センター役物に設けられた表示装置で行うことにするが、警告表示用の表示装置を別に設けてもよい。また、表示装置やスピーカの他に、パチンコ機に設けられたＬＥＤ等の電飾を光らせることで警告表示を行わせることも可能である。
【００２５】
次に、第１実施形態の作用について説明する。遊技者が受容皿２０に遊技球を供給した後、或いは貸し球として払い出し装置６８から遊技球が受容皿２０に払い出された後、遊技者は操作ハンドル２１を操作して、遊技球の打ち出しを開始する。このとき、補助皿３１は、図１に示す貯留不可位置に保持されている。このとき、図５に示すように、補助皿３１の前板３５に設けられた係止片４２と、固定装置６０の係合突起６２とが係合しているため、補助皿３１は貯留不可位置に固定されている。
【００２６】
遊技球が遊技領域１０に打ち出されると、遊技球は遊技領域１０の上方から流下していく。この流下していく過程で、遊技球が始動チャッカー１５、入賞チャッカー１６に入賞すると、入賞に対する遊技球の払い出しが払い出し装置６８によって受容皿２０に払い出される。また、始動チャッカー１５に入賞した場合には、「大当たり」状態に移行するか否かの抽選が行われ、この抽選結果に基づく演出表示が表示装置１２、及びスピーカ６７によって行われる。例えば抽選結果が当たりとなる場合には、表示装置１２には、「７−７−７」のように同一の図柄が表示される。一方、ハズレとなる場合には、「７−７−４」、「４−５−１」のように、同一の図柄が２個と、異なる図柄が表示される、或いは全て異なる図柄が表示される。
【００２７】
例えば「７−７−７」が表示されると、通常の遊技状態から、「大当たり」状態へと移行する。このとき、制御装置６７は、固定装置６０の駆動源６４に通電を行って、係合突起６２を図４又は図５中Ｂ方向に移動させて、係合片４２の回動軌跡上から退避させる。また、制御装置６７は、表示装置１２に補助皿３１を移動させることができる旨の表示を行う、或いはスピーカ６９によって補助皿３１を移動させることができる旨の報知音の再生を行わせる。これにより、遊技者が補助皿３１を貯留不可位置から貯留可能位置へと移動させることができるようになる。
【００２８】
「大当たり」状態に移行すると、アタッカ１７が開き、遊技領域１０を流下する遊技球が、アタッカ１７の内部に設けられた大入賞口に入賞し易くなる。このアタッカ１７は、例えば３０秒開放される、或いは大入賞口に遊技球が１０個入賞することで一旦閉じる。このアタッカ１７が開放されているときに、例えば遊技球が１０個入賞した場合に、一旦閉じた後に、再度開放される。アタッカ１７は、最大１５回を上限にして開放されるので、「大当たり」状態になると、通常の遊技状態よりも多くの入賞を得ることができる。この大入賞口への入賞を得ることで、数多くの賞球としての遊技球が受容皿２０に払い出されることになる。
【００２９】
なお、「大当たり」状態では、発射装置２２によって打ち出される遊技球の数よりも、入賞によって払い出し装置６８を介して払い出される遊技球数が多いので、受容皿２０が払い出された遊技球で満杯となる場合が多い。このとき、遊技者は、例えば受容皿２０に設けられた排出ボタン（図示せず）を操作して、遊技場に設けられた貯留皿に遊技球を排出し、受容皿２０に受容された遊技球を排出する。遊技球を遊技場に設けられた貯留箱に排出する際に、例えば貯留皿が遊技球で満杯となってしまった場合には、遊技球の排出を一旦停止する。このときにも遊技が行われており、遊技状態が「大当たり」状態であるから、受容皿２０には遊技球で満杯になる。このような場合には、遊技球で満杯になった貯留皿を、遊技場の床面に載置する、或いは遊技を行っているパチンコ機２の前面からずらす。そして、補助皿３１の取っ手３２を掴んで貯留可能位置へと（図４中Ｃ方向へと）移動させる。
【００３０】
図４に示すように、補助皿３１を図４中Ｃ方向に移動させると、補助皿３１が貯留不可位置から貯留可能位置へと回動する。この回動の際に、補助皿３１の側面３６，３７に設けられた回動防止片４０，４１が、飾り板３０の側壁４６，４７に設けられた凹部５０，５１に入り込んだ後、凹部５０，５１を構成する壁面５０ａ，５１ａにそれぞれ当接する。この当接によって、補助皿３１の回動が停止され、補助皿３１が貯留可能位置で保持される。遊技者は、受容皿２０に貯留された遊技球を操作ハンドル２１を操作していない側の手で掴んで、補助皿３１の受容部３１ａに移し替える。これにより、例えば貯留皿が遊技球で満杯となり、新しい貯留皿への交換ができない場合には、遊技を中断させる必要がなくなるので、例えば「大当たり」状態の場合には、入賞として得られる遊技球の数を減らすことなく、遊技を行うことができる。なお、もともと貯留皿がないときに「大当たり」状態に移行した場合には、受容皿２０が遊技球で満杯となった場合に貯留された遊技球を掴んで、貯留可能位置にある補助皿３１の受容部３１ａに遊技球を移し替えることになる。
【００３１】
そして、「大当たり」状態が終了すると、遊技者は、例えば遊技を中断して、補助皿３１に貯留された遊技球を、受容皿２０、或いは交換された新しい貯留皿に移し替えることになる。このとき、制御装置６７には位置検知センサ６１からのオン信号が出力されていないから、補助皿３１が貯留不可位置にないことを示す警告表示が表示装置１２に行われる、或いはスピーカ６７によって貯留不可位置にないことを示す警告音が再生される。
【００３２】
遊技者が補助皿３１から遊技球を取り除いた後、補助皿３１を貯留可能位置から貯留不可位置へと（図４中、或いは図５中Ｄ方向に）移動させると、補助皿３１の前板の上端縁が飾り板３０の段差５３に当接し、補助皿３１の回動が停止される。このとき、補助皿３１の後面６５に設けられた押圧部６６によって位置検知センサ６１の被押圧部６１ａが押圧されるので、位置検知センサ６１からオン信号が制御装置６７に出力される。これを受けて、制御装置６６は、固定装置６０の駆動源６４に給電を行う。固定装置６０の駆動源６４に給電が行われると、スライド機構６３を介して、係合突起６２を図４中、或いは図５中Ａ方向にスライドさせる。このスライドにより、係合突起６２が補助皿３１の係合片４２の回動軌跡上に位置することで、補助皿３１の回動が防止され、補助皿３１が貯留不可位置に固定される。このとき、表示装置１２による警告表示や、スピーカ６９による警報音の再生が行われている場合には、制御装置６７は、これら動作を停止させる。
【００３３】
本実施形態の第２実施形態を図６〜図１４を用いて説明する。なお、先に示した第１実施形態と、第２実施形態との違いは、第１実施形態が回動する形態の補助皿であるのに対して、第２実施形態の場合は、スライドする形態の補助皿となることである。このため、以下では、パチンコ機の構成については第１実施形態と同一であるので、同一の符号を付し、またその説明については省略する。
【００３４】
図６はパチンコ機の外観の構成を示す斜視図、図７は下部扉近傍の構成を示す斜視図である。パチンコ機２が組み付けられる固定枠３の下端部には、飾り板９０が設けられている。この飾り板９０の略中央であって、その下端部には、補助皿（補助貯留皿）９１が設けられている。この補助皿９１は、図６に示す閉じ状態に保持されている場合には、受容皿２０に貯留された遊技球を補助皿９１に一時的に移し替えることができないようになっており、通常状態よりも入賞装置に遊技球を入賞させやすくなる「大当たり」状態に移行したときに、補助皿９１を図１に示す位置（以下、貯留不可位置）から、開き位置にスライドさせることができるようになる。この補助皿９１を開き位置（以下、貯留可能位置）にスライドさせると、補助皿９１の受容部９１ａが露呈されるので、遊技者は操作ハンドル２１を操作しない手、つまり左手で受容皿２０に貯留された遊技球を掴んで補助皿９１の受容部９１ａに移し替えることが可能となる。なお、符号９２は取っ手であり、遊技者は、この取っ手９２を掴んで、補助皿９１を貯留不可位置から貯留可能位置へとスライドさせる、或いはその逆にスライドさせる。
【００３５】
図８に示すように、飾り板９０の長手方向の略中央であって、その幅方向の下部には、方形状に切り欠かれた空間９５が設けられており、この空間９５を介して補助皿９１が収納される。この空間９５を構成する側壁面９５ａ、９５ｂの下端部には、それぞれストッパ９６，９７が設けられている。これらストッパ９６，９７は、補助皿９１が貯留可能位置から貯留不可位置へと移動させたときに、補助皿９１の前板１３０が当接し、補助皿９１の移動を停止させるために設けられている。この固定枠３の底板１００には、貯留不可位置と貯留可能位置との間で移動する補助皿９１をガイドするガイド機構１０１，１０２が固定される。なお、以下に示すガイド機構１０１，１０２の構成はその一例であって、第２の実施形態の構成に限定されるものではない。
【００３６】
図９に示すように、ガイド機構１０１は、レール板１１０、補助ローラ１１１、ソレノイド（固定装置）１１２、タッチセンサ１１３から構成され、これら部材がブラケット１１４に組み付けられた後に、固定枠３の底板１００に固定される。
【００３７】
レール板１１０は、幅方向の中央が凹んだ形状からなっており、この凹んだ部分（以下、レール部と称する）１１０ａに、補助皿９１の側板１３１に設けられたガイド片１３３が挿入される。このレール板１１０の一端には、レール板１１０の長手方向に直交した保持片１１０ｂが設けられており、この保持片１１０ｂにタッチセンサ１１３が組み付けられる。補助ローラ１１１は、補助皿９１の側板１３１に設けられたガイド片１３３の下面１３３ａに摺接し、補助皿９１を貯留不可位置から貯留可能位置までスライドさせると、図９中Ｅ方向に回転し、補助皿９１のスライドを補助する。また、補助皿９１を貯留可能位置から貯留不可位置に向けてスライドさせると、図９中Ｆ方向に回転する。
【００３８】
ソレノイド１１２は、通電されることによって駆動鉄芯１１２ａがボビン１１２ｂの内部に引き込まれ、通電が停止されるとバネ（図示せず）の付勢によって駆動鉄芯１１２ａがボビン１１２ｂの内部から突出する。このソレノイド１１２に通電が行われていない場合には、駆動鉄芯１１２ａの先端は補助皿９１の側板１３１に設けられた嵌合穴１４０に挿入される。そして、例えば「大当たり」状態となる場合に、制御装置１２７は、ソレノイド１１２への通電を開始する。このソレノイド１１２への通電が開始されると、駆動鉄芯１１２ａがボビン１１２ｂに引き込まれるので、駆動鉄芯１１２ａの先端による嵌合穴１４０への挿入が解除される。また、貯留不可位置へと補助皿９１を移動させると、タッチセンサ１１３がＯＮとなり、制御装置１２７はソレノイド１１２への通電が停止される。これにより、駆動鉄芯１１２ａがボビン１１２ｂから突出し、駆動鉄芯１１２ａの先端部が補助皿９１の側板１３１の嵌合穴１４０へと挿入される（図１１参照）。これにより、補助皿９１が貯留不可位置に固定される。
【００３９】
タッチセンサ（位置検知手段）１１３は、補助皿９１が貯留不可位置に位置していることを検知するために設けられている。このタッチセンサ１１３は、被押圧面１１３ａを備えており、この被押圧面１１３ａが押圧されることによって、タッチセンサ１１３の内部に設けられたスイッチがオンとなり、そのオン信号が制御装置１２７に向けて出力される。
【００４０】
ガイド機構１０２は、ガイド機構１０１と同様に、レール板１２０、補助ローラ１２１、ソレノイド（ロック機構）１２２、タッチセンサ（位置検知手段）１２３から構成され、これら部材がブラケット１２４に組み付けられる。なお、このガイド機構については、ガイド機構と構成が同一であるから、ここでは、その詳細を省略する。なお、図９中符号１２２ａ、１２２ｂは駆動鉄芯、ボビンであり、符号１２３ａはタッチセンサ１２３の被押圧面である。
【００４１】
制御装置（状態検知手段）１２７は、パチンコ機２における遊技制御を行う装置である。この制御装置１２７には、上述した入賞装置に入賞した遊技球を検知する検知センサが接続されており、これら検知センサのいずれかからの検知信号が入力されると、払い出し装置１２８に該検知信号に対する払い出し信号を出力する。例えば、遊技を行った際に、始動チャッカー１５に遊技球が入賞すると、制御装置１２７は「大当たり」状態に移行するか否かの抽選を行い、この抽選結果に基づいて、センター役物１１に設けられた表示装置１２における演出表示（つまり、図柄の変動表示や、停止表示）や、パチンコ機２に設けられるスピーカ１２９等を用いて実行させる。そして、「大当たり」状態に移行した場合に、表示装置１２に補助皿９１がスライド可能である旨を示す表示する、或いはスピーカ１２９を用いて、補助皿９１がスライド可能である旨を示す演出音の再生を行わせる。これと同時に、制御装置１２７はソレノイド１１２，１２２のそれぞれに給電を行う。これにより、補助皿９１が貯留不可位置から、貯留可能位置へとスライドさせることが可能となる。
【００４２】
また、この制御装置１２７は、「大当たり」状態が終了した後に、上述したタッチセンサ１１３，１２３からのオン信号が入力されると、ソレノイド１１２，１２２への給電を停止する。一方、「大当たり」状態が終了しても、タッチセンサ１１３，１２３からのオン信号が入力されない場合には、制御装置１２７は、例えば上述した表示装置（報知手段）１２に補助皿９１が開放されている旨を示す警告表示、或いはスピーカ（報知手段）１２９による警告音の再生を行う。
【００４３】
図１０に示すように、補助皿９１は、上面が開口された略箱形状から構成されている。この補助皿９１の前板１３０は、上述した飾り板９０の空間９５と略同一の大きさから構成されており、補助皿９１が貯留不可位置にある場合に、該空間９５を遮蔽する。この補助皿９１の側板１３１、１３２の外壁面には、側板１３１，１３２の長手方向に沿ってガイド片１３３，１３４がそれぞれ設けられている。ガイド片１３３は、上述したようにガイド機構１０１のレール板１１０のレール部１１０ａに、ガイド片１３４は、ガイド機構１０２のレール板１２０のレール部１２０ａにそれぞれ挿入される。
【００４４】
ストッパ１３５，１３６は、ガイド片１３３，１３４の後端側であって、その下面１３３ａ、１３４ａにそれぞれ設けられている。これらストッパ１３５，１３６は、補助皿９１が貯留不可位置から貯留可能位置までスライドしたときに、補助ローラ１１１，１２１とそれぞれ当接し、補助皿９１のスライドを停止させる。摺接片１３７，１３８は、ガイド片１３３，１３４の後端であって、その下面に、ストッパ１３５，１３６よりも後端側にそれぞれ設けられている。これら摺接片１３７，１３８はレール板１１０、１２０の内壁面１１０ｃ、１２０ｃとそれぞれ当接している。なお、これら摺接片１３７，１３８によって、補助皿９１が、例えば床面に対して水平に保持されるようになっている。また、側板１３３，１３４の下方には、上述したソレノイド１１２，１２２の駆動鉄芯１１２ａ，１２２ａの先端部が挿通される嵌合穴１４０，１４１がそれぞれ設けられている。
【００４５】
また、補助皿９１の後板１３９の外壁面１３９ａの両端部であって、その下部には、ゴム片１４２，１４３がそれぞれ組み付けられている。これらゴム片１４２，１４３は、補助皿９１が貯留可能位置から貯留不可位置まで移動したときに、タッチセンサ１１３，１２３の押圧面１１３ａ，１２３ａをそれぞれ押圧する。
【００４６】
次に、第２実施形態の作用について説明する。遊技者が受容皿２０に遊技球を供給した後、或いは貸し球として払い出し装置６６から遊技球が受容皿２０に払い出された後、遊技者は操作ハンドル２１を操作して、遊技球の打ち出しを開始する。このとき、補助皿９１は、図１１或いは図１２に示す貯留不可位置に保持されている。このとき、図１１に示すように、補助皿９１の側板１３１に設けられた嵌合穴１４０に、ソレノイド１１２の駆動鉄芯１１２ａの先端が挿入されている。同様に、補助皿９１の側板１３２に設けられた嵌合穴１４１に、ソレノイド１２２の駆動鉄芯１２２ａの先端部が挿入されている。これにより、補助皿９１が貯留不可位置に固定されているので、取っ手９２に手を掛けて補助皿９１を貯留可能位置に向けてスライドことはできない。
【００４７】
遊技球が遊技領域１０に打ち出されると、遊技球は遊技領域１０の上方から流下していく。この流下していく過程で、遊技球が始動チャッカー１５、入賞チャッカー１６に入賞すると、入賞に対する遊技球の払い出しが払い出し装置１２８によって受容皿２０に払い出される。また、始動チャッカー１５に入賞した場合には、「大当たり」状態に移行するか否かの抽選が行われ、この抽選結果に基づく演出表示が表示装置１２、及びスピーカ１２９によって行われる。例えば抽選結果が当たりとなる場合には、表示装置１２には、「７−７−７」のように同一の図柄が表示される。一方、ハズレとなる場合には、「７−７−４」、「４−５−１」のように、同一の図柄が２個と、異なる図柄が表示される、或いは全て異なる図柄が表示される。
【００４８】
例えば「７−７−７」が表示されると、通常の遊技状態から、「大当たり」状態へと移行する。このとき、制御装置１２７は、ソレノイド１１２，１２２に通電を開始するので、ソレノイド１１２，１２２の駆動鉄芯１１２ａ，１２２ａが嵌合穴１４０，１４１に挿入された状態からそれぞれ退避する。また、制御装置１２７は、表示装置１２に補助皿９１を移動させることができる旨の表示を行う、或いはスピーカ１２９によって補助皿９１を移動させることができる旨の報知音の再生を行わせるので、遊技者は補助皿９１を貯留不可位置から貯留可能位置へとスライドさせることができるようになる。
【００４９】
「大当たり」状態に移行すると、アタッカ１７が開き、遊技領域１０を流下する遊技球が、アタッカ１７の内部に設けられた大入賞口に入賞し易くなる。このアタッカ１７は、例えば３０秒開放される、或いは大入賞口に遊技球が１０個入賞することで一旦閉じる。このアタッカ１７が開放されているときに、例えば遊技球が１０個入賞した場合に、一旦閉じた後に、再度開放される。アタッカ１７は、最大１５回を上限にして開放されるので、「大当たり」状態になると、通常の遊技状態よりも多くの入賞を得ることができる。この大入賞口への入賞を得ることで、数多くの賞球としての遊技球が受容皿２０に払い出されることになる。
【００５０】
なお、「大当たり」状態では、発射装置２２によって打ち出される遊技球の数よりも、入賞によって払い出し装置６８を介して払い出される遊技球数が多いので、受容皿２０が払い出された遊技球で満杯となる場合が多い。この遊技球の払い出しによって受容皿２０が遊技球で満杯となる場合、遊技者は、例えば受容皿２０に設けられた排出ボタン（図示せず）を操作して、遊技場に設けられた貯留皿に遊技球を排出する。このとき、例えば貯留皿が遊技球で満杯となる場合には、遊技球の排出を一旦やめて、貯留皿をパチンコ機２の前面からずらし、補助皿９１の取っ手９２を掴んで貯留可能位置へと（図１１中、或いは図１２Ｇ方向へと）移動させる。
【００５１】
図１３或いは図１４に示すように、補助皿９１を図中Ｇ方向に移動させると、補助ローラ１１１にストッパ１３５が、補助ローラ１２１にストッパ１３６がそれぞれ当接し、補助皿９１の移動が停止される。これにより、補助皿９１が貯留可能位置に保持される。遊技者は、受容皿２０に貯留された遊技球を操作ハンドル２１を操作していない側の手で掴んで、補助皿９１の受容部９１ａに移し替える。これにより、例えば貯留皿が遊技球で満杯となり、新しい貯留皿への交換ができない場合には、遊技を中断させる必要がなくなるので、例えば「大当たり」状態の場合には、入賞として得られる遊技球の数を減らすことなく、遊技を行うことができる。なお、もともと貯留皿がないときに「大当たり」状態に移行した場合には、受容皿２０に貯留された遊技球を掴んで、貯留可能位置にある補助皿９１の受容部９１ａに遊技球を移し替えることになる。
【００５２】
そして、「大当たり」状態が終了すると、遊技者は、例えば遊技を中断して、補助皿９１に貯留された遊技球を、受容皿２０、或いは交換された新しい貯留皿に移し替えることになる。このとき、制御装置１２７にはタッチセンサ１１３，１２３からのオン信号が出力されていないから、補助皿２０が貯留不可位置にないことを示す警告表示が表示装置１２に行われる、或いはスピーカ１２９によって貯留不可位置にないことを示す警告音が再生される。
【００５３】
図１３、又は図１４に示すように、遊技者が補助皿９１から遊技球を取り除いた後、補助皿９１を貯留可能位置から貯留不可位置へと（図１３中、又は図１４中Ｈ方向に）移動させると、補助皿９１の後面１３９の外壁面１３９ａに設けられた押圧ゴム１４２，１４３によってタッチセンサ１１３，１２３の被押圧部１１３ａ，１２３ａがそれぞれ押圧されるので、タッチセンサ１１３，１２３からオン信号が制御装置１２７に出力される。これを受けて、制御装置１２７は、ソレノイド１１２，１２２への通電を停止する。ソレノイド１１２への通電を停止することで、例えばソレノイド１１２の駆動鉄芯１１２ａの先端部が、補助皿９１の側板１３１に設けられた嵌合穴１４０に挿入される。同様にして、ソレノイド１２２の駆動鉄芯１２２ａの先端部が補助皿９１の側板１３２に設けられた嵌合穴１４１に挿入される。これにより、補助皿９１が、貯留不可位置に固定される。このとき、表示装置１２による警告表示や、スピーカ１２９による警報音の再生が行われている場合には、制御装置１２７は、これら動作を停止させる。
【００５４】
第１実施形態、第２実施形態においては、「大当たり」状態に移行した直後から、補助皿を貯留不可位置から、貯留可能位置へと移動させることができるようにしたが、これに限定する必要はなく、例えば、受容皿が遊技球で満杯となっているか否かを検知する検知センサを設け、この検知センサによる出力が制御装置に入力された場合に、補助皿を貯留不可位置から、貯留可能位置へと移動させることができるようにしてもよい。また、この他に、「大当たり」状態に移行することでアタッカが開放されることになるが、このアタッカが所定回数開放された場合に、補助皿を貯留不可位置から貯留可能位置へと移動させることができるようにしても良い。
【００５５】
第１実施形態、第２実施形態においては、「大当たり」状態となる場合にのみ、補助皿を貯留不可位置から、貯留可能位置へと移動させることができるようにしたが、これに限定する必要はなく、例えば、前面扉の内側に、解除スイッチを設けることも可能である。この解除スイッチを設けることで、例えば補助皿に遊技球があるにも関わらず、誤って補助皿を貯留可能位置から貯留不可位置へと移動させた場合に、補助皿に貯留した遊技球を回収する事ができるようになる。
【００５６】
第１実施形態、第２実施形態では、パチンコ機の下部に設けられる飾り板に切り欠かれた空間を設け、この空間に補助皿を組み付けるようにしたが、これに限定する必要はなく、例えば受容皿に設けることも可能である。
【００５７】
第１実施形態、第２実施形態では、固定枠を備えたパチンコ機の例を取り上げたが、これに限定する必要はなく、例えば固定枠を島設備を構成する部材とする場合には、この固定枠に貯留可能位置と貯留不可位置との間で移動する補助皿を設けることも可能である。パチンコ機は、島設備に設置され、パチンコ機の遊技履歴を表示する表示装置と電気的に接続されているので、パチンコ機から表示装置に対して「大当たり」状態を示す信号が出力されている。このため、「大当たり」状態であるか否かは、表示装置に入力される信号の有無で判定できる。これにより、表示装置に警告表示用の表示パターンを記憶させておけば、「大当たり」状態が終了したときには、パチンコ機から「大当たり」状態を示す信号の出力が停止されるので、この信号の出力が停止されても、補助皿が貯留可能位置にあると判定された場合に、該表示パターンを用いて警告表示を行うことができる。また、島設備にスピーカを設置し、これら表示装置と電気的に接続することで、警報音の再生を行わせることも可能となる。
【図面の簡単な説明】
【００５８】
【図１】第１実施形態のパチンコ機の外観を示す斜視図である。
【図２】受容皿近傍の構成であって、補助皿が貯留可能位置まで回動されている状態を示す斜視図である。
【図３】飾り板近傍の構成を分解して示す斜視図である。
【図４】補助皿が貯留可能位置まで回動した状態を示す断面図である。
【図５】補助皿が貯留不可位置にある状態を示す断面図である。
【図６】第２実施形態のパチンコ機の外観を示す斜視図である。
【図７】受容皿近傍の構成であって、補助皿が貯留可能位置までスライドされている状態を示す斜視図である。
【図８】飾り板近傍の構成を示す斜視図である。
【図９】ガイド機構の構成の一例を示す斜視図である。
【図１０】補助皿の構成の一例を示す斜視図である。
【図１１】貯留不可位置にある補助皿を上方から示す説明図である。
【図１２】貯留不可位置にある補助皿を側方から示す説明図である。
【図１３】貯留可能位置にある補助皿を上方から示す説明図である。
【図１４】貯留可能位置にある補助皿を側方から示す説明図である。
【符号の説明】
【００５９】
２  パチンコ機
３  固定枠（保持部材）
１２  表示装置（報知手段）
２０  受容皿
３０、９０  飾り板（装飾パネル）
３１、９１  補助皿（補助貯留皿）
４０、４１  回動防止片（支持部材）
６０  固定装置
６１  位置検知センサ（位置検知手段）
６７、１２７  制御装置（状態検知手段）
６９、１２９  スピーカ（報知手段）
１１２，１２２  ソレノイド（固定装置）
１１３，１２３  タッチセンサ（位置検知手段）
【図１】
2007202973.tif 000003
【図２】
2007202973.tif 000004
【図３】
2007202973.tif 000005
【図４】
2007202973.tif 000006
【図５】
2007202973.tif 000007
【図６】
2007202973.tif 000008
【図７】
2007202973.tif 000009
【図８】
2007202973.tif 000010
【図９】
2007202973.tif 000011
【図１０】
2007202973.tif 000012
【図１１】
2007202973.tif 000013
【図１２】
2007202973.tif 000014
【図１３】
2007202973.tif 000015
【図１４】
2007202973.tif 000016